(57)【特許請求の範囲】
【請求項１】
居室毎に設置される居室親機（１ａ、１ｂ、・・・）と、共同玄関に設置され前記居室親機を呼び出して通話を成立させるための共同玄関機（３）とを共通幹線（Ｌ）にそれぞれ接続し、
前記共同玄関機は、１つの居室親機に複数の部屋番号または複数の名前を１つの共通アドレスとして割り付けるための共同玄関機ＣＰＵ（３０６）と、前記共同玄関機ＣＰＵにて割り付けられた複数の部屋番号または複数の名前を保存するための共同玄関機メモリ（３０５）とを備え、
前記居室親機は、前記１つの共通アドレスを保存するための居室親機メモリ（１０３）と、前記居室親機メモリへの前記１つの共通アドレスの保存を実行し、前記共同玄関機から前記１つの居室親機への呼出時に、前記共同玄関機から送信されてきた前記１つの共通アドレスと前記居室親機メモリに保存されている前記１つの共通アドレスとを照合し、一致しているときには前記１つの居室親機への呼び出し、通話を成立させるとともに、前記呼び出しに使用された前記部屋番号または前記名前の相違によって呼出音を変化させるための居室親機ＣＰＵ（１０４）とを備えることを特徴とする集合住宅インターホンシステム。
【請求項２】
居室毎に設置される居室親機（１ａ、１ｂ、・・・）と、管理室に設置され前記居室親機との間で呼び出し、通話を成立させるための管理室親機（２）とを共通幹線（Ｌ）にそれぞれ接続し、
前記管理室親機は、１つの居室親機に複数の部屋番号または複数の名前を１つの共通アドレスとして割り付けるための管理室親機ＣＰＵ（２０６）と、前記管理室親機ＣＰＵにて割り付けられた複数の部屋番号または複数の名前を保存するための管理室親機メモリ（２０５）とを備え、
前記居室親機は、前記１つの共通アドレスを保存するための居室親機メモリ（１０３）と、前記居室親機メモリへの前記１つの共通アドレスの保存を実行し、前記管理室親機から前記１つの居室親機への呼出時に、前記管理室親機から送信されてきた前記１つの共通アドレスと前記居室親機メモリに保存されている前記１つの共通アドレスとを照合し、一致しているときには前記１つの居室親機への呼び出し、通話を成立させるとともに、前記呼び出しに使用された前記部屋番号または前記名前の相違によって呼出音を変化させるための居室親機ＣＰＵ（１０４）とを備えることを特徴とする集合住宅インターホンシステム。
【発明の詳細な説明】
【技術分野】
【０００１】
本発明は、マンション等の集合住宅に設置される集合住宅インターホンシステムに係り、特に、複数の居住者をそれぞれの部屋番号または名前で呼び出すことができる集合住宅インターホンシステムに関する。
【背景技術】
【０００２】
従来から、この種の集合住宅インターホンシステムとして、例えば、集合玄関機の名前表示部に、予め登録された居住者の名前等を表示させることにより、呼び出したい居住者の部屋番号が分からない場合でも、居住者の名前が分かっている場合には、当該居住者を呼び出すことができる集合住宅用インターホンシステムが開示されている（例えば、特許文献１を参照。）。
【０００３】
この集合住宅用インターホンシステムによれば、集合玄関機の名前表示部に呼び出したい居住者を表示させ、この表示を確認した状態で居住者を呼び出すことができることから、部屋番号の押し間違い等により、誤って他の居住者を呼び出す虞もなくなる。
【０００４】
【特許文献１】特開２００３−２８９３９０号公報（段落番号「００１６」乃至「００４６」、第１図乃至第４図）
【発明の開示】
【発明が解決しようとする課題】
【０００５】
背景技術に記載した特許文献１の集合住宅用インターホンシステムによれば、１つの居室親機に１つの部屋番号または１つの名前を登録していた。
【０００６】
しかしながら、１つの居室親機が設置される居室毎に、複数の居住者が同居している場合には、複数の居住者のうち何れか一人を代表者として選択し、この代表者の名前を前述の１つの名前として登録するため、集合玄関機にて呼出操作を行う来訪者にとっては、呼び出したい居住者のうち代表者の名前を予め確認する必要があった。
【０００７】
本発明は、この難点を解消するためになされたもので、居室親機との間で通信が可能な共同玄関機および／または管理室親機において、居室親機毎、１つの居室親機に複数の部屋番号または複数の名前を１つの共通アドレスとして割り付けることにより、複数の居住者をそれぞれの部屋番号または名前で呼び出すことができる呼出操作の利便性が高められた集合住宅インターホンシステムを提供することを目的としている。
【課題を解決するための手段】
【０００８】
前述の目的を達成するため、本発明の第１の態様である集合住宅インターホンシステムは、居室毎に設置される居室親機と、共同玄関に設置され居室親機を呼び出して通話を成立させるための共同玄関機とを共通幹線にそれぞれ接続したものである。共同玄関機は、１つの居室親機に複数の部屋番号または複数の名前を１つの共通アドレスとして割り付けるための共同玄関機ＣＰＵと、共同玄関機ＣＰＵにて割り付けられた複数の部屋番号または複数の名前を保存するための共同玄関機メモリとを備えたものである。居室親機は、１つの共通アドレスを保存するための居室親機メモリと、居室親機メモリへの１つの共通アドレスの保存を実行し、共同玄関機から１つの居室親機への呼出時に、共同玄関機から送信されてきた１つの共通アドレスと居室親機メモリに保存されている１つの共通アドレスとを照合し、一致しているときには１つの居室親機への呼び出し、通話を成立させるとともに、呼び出しに使用された部屋番号または名前の相違によって呼出音を変化させるための居室親機ＣＰＵとを備えたものである。
【０００９】
また、本発明の第２の態様である集合住宅インターホンシステムは、居室毎に設置される居室親機と、管理室に設置され居室親機との間で呼び出し、通話を成立させるための管理室親機とを共通幹線にそれぞれ接続したものである。管理室親機は、１つの居室親機に複数の部屋番号または複数の名前を１つの共通アドレスとして割り付けるための管理室親機ＣＰＵと、管理室親機ＣＰＵにて割り付けられた複数の部屋番号または複数の名前を保存するための管理室親機メモリとを備えたものである。居室親機は、１つの共通アドレスを保存するための居室親機メモリと、居室親機メモリへの１つの共通アドレスの保存を実行し、管理室親機から１つの居室親機への呼出時に、管理室親機から送信されてきた１つの共通アドレスと居室親機メモリに保存されている１つの共通アドレスとを照合し、一致しているときには１つの居室親機への呼び出し、通話を成立させるとともに、呼び出しに使用された部屋番号または名前の相違によって呼出音を変化させるための居室親機ＣＰＵとを備えたものである。
【発明の効果】
【００１０】
本発明の集合住宅インターホンシステムによれば、共通幹線を経由して接続された居室親機を呼び出して通話を成立させることができる共同玄関機の共同玄関機ＣＰＵの制御により、居室親機毎、１つの当該居室親機に１つの共通アドレスとして割り付けられる複数の部屋番号または複数の名前を共同玄関機メモリに保存することができるばかりでなく、当該１つの共通アドレスを居室親機の居室親機メモリに保存することができる。これにより、共同玄関機にて呼出操作を行う来訪者にとっては、呼出先の居住者に該当する複数の部屋番号または複数の名前のうち何れか１の当該部屋番号または名前を選択でき、呼出操作の利便性が高められる。また、来訪者により選択された部屋番号または名前が一致した居室親機の居室親機ＣＰＵは、居室親機スピーカから出力される呼出音のパターンを、部屋番号または名前の相違によって変化させることから、居住者にとっては、来訪者の呼び出しに使用された部屋番号または名前の識別が容易となる。
【００１１】
また、本発明の集合住宅インターホンシステムによれば、共通幹線を経由して接続された居室親機との間で呼び出し、通話を成立させることができる管理室親機の管理室親機ＣＰＵの制御により、居室親機毎、１つの当該居室親機に１つの共通アドレスとして割り付けられる複数の部屋番号または複数の名前を管理室親機メモリに保存することができるばかりでなく、当該１つの共通アドレスを居室親機の居室親機メモリに保存することができる。これにより、管理室親機にて呼出操作を行う管理人にとっては、呼出先の居住者に該当する複数の部屋番号または複数の名前のうち何れか１の当該部屋番号または名前を選択でき、呼出操作の利便性が高められる。また、管理人により選択された部屋番号または名前が一致した居室親機の居室親機ＣＰＵは、居室親機スピーカから出力される呼出音のパターンを部屋番号または名前の相違によって変化させることから、居住者にとっては、管理人の呼び出しに使用された部屋番号または名前の識別が容易となる。
【発明を実施するための最良の形態】
【００１２】
以下、本発明の集合住宅インターホンシステムを適用した最良の実施の形態例について、図面を参照して説明する。
【００１３】
図１は、本発明を実施するための最良の一形態である集合住宅インターホンシステムの全体構成（外観構成）を示すシステム説明図である。
【００１４】
図１に示す集合住宅インターホンシステムは、マンション等の集合住宅において、（複数の）居室毎に設置され、共同玄関に居る来訪者または管理室（管理人室と同意。）内に在室中の管理人からの呼び出しが報知され、この呼び出しに応答した居住者が通話を成立させるための（複数の）居室親機１ａ、１ｂ、・・・と、管理室に設置され、管理人が（複数の）居室のうち特定の当該居室内に在室中の居住者（以下、特定の居住者という。）を呼び出して通話を成立させるための管理室親機２と、共同玄関に設置され、来訪者が特定の居住者を呼び出して通話を成立させるための共同玄関機３とが共通幹線Ｌを経由してそれぞれ接続されて構成されている。
【００１５】
また、居室親機１ａ、１ｂ、・・・は、前述の機能の他に、通常、居住者が管理人を呼び出して通話を成立させるための機能を有している。また、管理室親機２についても前述の機能の他に、通常、特定の居住者または来訪者からの呼び出しが報知され、この呼び出しに応答した管理人が通話を成立させるための機能、管理人が全ての居住者に対して一斉放送を行うための機能を有している。さらに、共同玄関機３についても前述の機能の他に、来訪者が管理人を呼び出して通話を成立させるための機能を有している。
【００１６】
図２は、本発明を実施するための最良の一形態である集合住宅インターホンシステムの具体的な構成を示すブロック図である。
【００１７】
図２に示す集合住宅インターホンシステムにおいて、居室親機１ａ、１ｂ、・・・はそれぞれ同様な構成であり、スピーカ（以下、居室親機スピーカという。）１００と、ハンドセット（以下、居室親機ハンドセットという。）１０１と、通話回路（以下、居室親機通話回路という。）１０２と、メモリ（以下、居室親機メモリという。）１０３と、ＣＰＵ（以下、居室親機ＣＰＵという。）１０４と、通信回路（以下、居室親機Ｉ／Ｆという。）１０５とが備えられている。なお、前述の居室親機スピーカ１００、居室親機ハンドセット１０１は、図１に表わされる。
【００１８】
この居室親機１ａ、１ｂ、・・・において、居室親機スピーカ１００は、管理室親機２を使用した管理人からの呼び出しがある旨の呼出音や共用玄関機３を使用した来訪者からの呼び出しがある旨の呼出音を所定のパターンで出力するためのものである。なお、居室親機スピーカ１００から出力される呼出音には、音声メッセージ等も含まれる。
【００１９】
また、居室親機ハンドセット１０１は、居住者が管理人または来訪者との間で通話を成立させるにあたり音声（送話音声、受話音声）を入出力するためのものであり、当該ハンドセットを取り上げの有無に起因してフックスイッチ（図示せず）がフックオフ／フックオンとなる機能を有している。
【００２０】
また、居室親機通話回路１０２は、居室親機ハンドセット１０１（のマイクおよびレシーバ）にて入出力される音声であり信号処理された音声信号を、４線／２線変換や２線／４線変換、増幅等を行い、信号伝送路（通話路）を形成するためのものである。
【００２１】
また、居室親機メモリ１０３は、自居室親機に複数の部屋番号または複数の名前として割り付けられる１つの共通アドレスを保存するためのものであり、例えば、フラッシュＲＯＭ（Read Only Memory）、ＥＥＰＲＯＭ（Electrically Erasable Programmable Read Only Memory）等のような不揮発性メモリが好適とされる。
【００２２】
また、居室親機ＣＰＵ１０４は、当該居室親機の構成各部／回路を制御するための機能として、例えば、居室親機スピーカ１００から呼出音を出力させる機能、居室親機通話回路１０２を能動にする機能および居室親機メモリ１０３の制御（保存／読出／照合）機能を有している。
【００２３】
さらに、居室親機Ｉ／Ｆ１０５は、居室親機通話回路１０２および共通幹線Ｌの間における双方向の信号伝送路（通話路）、居室親機ＣＰＵ１０４および共通幹線Ｌの間における双方向の信号伝送路をそれぞれ形成するためのものである。
【００２４】
なお、居室親機１ａ、１ｂ、・・・が有する通話手段としては、前述の構成のように居室親機ハンドセット１０１を適用したが、この通話手段に限定されるものではない。例えば、居室親機ハンドセット１０１を不要として別途にマイクおよび通話ボタンを設けることにより、この通話ボタンにて応答操作を行った後、居室親機スピーカ１００およびマイクを使用して通話、すなわち、拡声通話を成立させることができる。また、居室親機スピーカ１００、居室親機ハンドセット１０１、前述のマイクおよび通話ボタンを全て設けることにより、居室親機ハンドセット１０１を使用したハンドセット通話および拡声通話のうち、何れか１の通話手段を任意に選択することもできる。
【００２５】
管理室親機２には、スピーカ（以下、管理室親機スピーカという。）２００と、ハンドセット（以下、管理室親機ハンドセットという。）２０１と、通話回路（以下、管理室親機通話回路という。）２０２と、操作部（以下、管理室親機操作部という。）２０３と、モニタ（以下、管理室親機モニタという。）２０４と、メモリ（以下、管理室親機メモリという。）２０５と、ＣＰＵ（以下、管理室親機ＣＰＵという。）２０６と、通信回路（以下、管理室親機Ｉ／Ｆという。）２０７とが備えられている。なお、前述の管理室親機スピーカ２００、管理室親機ハンドセット２０１、管理室親機操作部２０３および管理室親機モニタ２０４は、図１に表わされる。
【００２６】
この管理室親機２において、管理室親機スピーカ２００は、居室親機１ａ、１ｂ、・・・を使用した特定の居住者（または共同玄関機３を使用した来訪者）からの呼び出しがある旨の呼出音を所定のパターンで出力するためのものである。なお、管理室親機スピーカ２００から出力される呼出音には、音声メッセージ等も含まれる。
【００２７】
また、管理室親機ハンドセット２０１は、管理人が居住者（または来訪者）との間で通話を成立させるにあたり音声（送話音声、受話音声）を入出力するためのものであり、当該ハンドセットを取り上げの有無に起因してフックスイッチ（図示せず）がフックオフ／フックオンとなる機能を有している。
【００２８】
また、管理室親機通話回路２０２は、管理室親機ハンドセット２０１（のマイクおよびレシーバ）にて入出力される音声であり信号処理された音声信号を、４線／２線変換や２線／４線変換、増幅等を行い、信号伝送路（通話路）を形成するためのものである。
【００２９】
また、管理室親機操作部２０３は、当該システムの施工業者等が居室親機１ａ、１ｂ、・・・毎、１つの当該居室親機に割り付けられる複数の部屋番号または複数の名前の１つの共通アドレスを設定するとともに、管理人が特定の居住者を呼び出すための操作を行うものであり、テンキーボタン２０３ａ、上／下方向キーボタン２０３ｂ、呼出ボタン２０３ｃが含まれる。
【００３０】
また、管理室親機モニタ２０４は、管理室親機操作部２０３（２０３ａ、２０３ｂ、２０３ｃ）の操作情報等を表示するためのものであり、例えば、ＬＣＤ（Liquid Crystal Display）、有機ＥＬ（Electro Luminescence）ディスプレイ等が好適とされる。
【００３１】
また、管理室親機メモリ２０５は、居室親機１ａ、１ｂ、・・・毎に１つの共通アドレスとして割り付けられる複数の部屋番号または複数の名前を保存するためのものであり、例えば、フラッシュＲＯＭ、ＥＥＰＲＯＭ等のような不揮発性メモリが好適とされる。
【００３２】
また、管理室親機ＣＰＵ２０６は、当該管理室親機の構成各部／回路を制御するための機能として、例えば、管理室親機スピーカ２００から呼出音を出力させる機能、管理室親機通話回路２０２を能動にする機能、管理室親機操作部２０３（２０３ａ、２０３ｂ、２０３ｃ）の操作検出機能、管理室親機モニタ２０４への表示機能および管理室親機メモリ２０５の制御（保存／読出／照合）機能を有している。
【００３３】
さらに、管理室親機Ｉ／Ｆ２０７は、管理室親機通話回路２０２および共通幹線Ｌの間における双方向の信号伝送路（通話路）、管理室親機ＣＰＵ２０６および共通幹線Ｌの間における双方向の信号伝送路をそれぞれ形成するためのものである。
【００３４】
なお、管理室親機２が有する通話手段としては、前述の構成のように管理室親機ハンドセット２０１を適用したが、この通話手段に限定されるものではない。例えば、管理室親機ハンドセット２０１を不要として別途にマイクを設け、管理室親機操作部２０３に通話ボタンを備えることにより、この通話ボタンにて応答操作を行った後、管理室親機スピーカ２００およびマイクを使用して通話、すなわち、拡声通話を成立させることができる。また、管理室親機スピーカ２００、管理室親機ハンドセット２０１、前述のマイクおよび通話ボタンを全て設けることにより、管理室親機ハンドセット２０１を使用したハンドセット通話および拡声通話のうち、何れか１の通話手段を任意に選択することもできる。
【００３５】
共同玄関機３には、操作部（以下、共同玄関機操作部という。）３００と、モニタ（以下、共同玄関機モニタという。）３０１と、マイク（以下、共同玄関機マイクという。）３０２と、スピーカ（以下、共同玄関機スピーカという。）３０３と、通話回路（以下、共同玄関機通話回路という。）３０４と、メモリ（以下、共同玄関機メモリという。）３０５と、ＣＰＵ（以下、共同玄関機ＣＰＵという。）３０６と、通信回路（以下、共同玄関機Ｉ／Ｆという。）３０７とが備えられている。なお、前述の共同玄関機操作部３００、共同玄関機モニタ３０１、共同玄関機マイク３０２および共同玄関機スピーカ３０３は、図１に表わされる。
【００３６】
この共同玄関機３において、共同玄関機操作部３００は、当該システムの施工業者等が居室親機１ａ、１ｂ、・・・毎、１つの当該居室親機に割り付けられる複数の部屋番号または複数の名前の１つの共通アドレスを設定するとともに、来訪者が特定の居住者（または管理人）を呼び出すための操作を行うものであり、テンキーボタン３００ａ、上／下方向キーボタン３００ｂ、呼出ボタン３００ｃが含まれる。
【００３７】
また、共同玄関機モニタ３０１は、共同玄関機操作部３００（３００ａ、３００ｂ、３００ｃ）の操作情報等を表示するためのものであり、例えば、ＬＣＤ、有機ＥＬディスプレイ等が好適とされる。
【００３８】
また、共同玄関機マイク３０２は、来訪者が呼び出した特定の居住者（または管理人）との間で通話を成立させるにあたり、音声（送話音声）を入力するためのものである。
【００３９】
また、共同玄関機スピーカ３０３は、来訪者が呼び出した特定の居住者（または管理人）との間で通話を成立させるにあたり、当該居住者（または管理人）からの音声（受話音声）を出力するとともに、共同玄関機操作部３００（３００ａ、３００ｂ、３００ｃ）にて行われる操作に対する確認音を出力するためのものである。なお、共同玄関機スピーカ３０３から出力される確認音には、音声メッセージ等も含まれる。
【００４０】
また、共同玄関機通話回路３０４は、共同玄関機マイク３０２および共同玄関機スピーカ３０３にて入出力される音声であり信号処理された音声信号を、４線／２線変換や２線／４線変換、増幅等を行い、信号伝送路（通話路）を形成するためのものである。
【００４１】
また、共同玄関機メモリ３０５は、居室親機１ａ、１ｂ、・・・毎に１つの共通アドレスとして割り付けられる複数の部屋番号または複数の名前を保存するためのものであり、例えば、フラッシュＲＯＭ、ＥＥＰＲＯＭ等のような不揮発性メモリが好適とされる。
【００４２】
また、共同玄関機ＣＰＵ３０６は、当該共同玄関機の構成各部／回路を制御するための機能として、例えば、共同玄関機操作部３００（３００ａ、３００ｂ、３００ｃ）の操作検出機能、共同玄関機モニタ３０１への表示機能、共同玄関機通話回路３０４を能動にする機能および共同玄関機メモリ３０５の制御（保存／読出／照合）機能を有している。
【００４３】
さらに、共同玄関機Ｉ／Ｆ３０７は、共同玄関機通話回路３０４および共通幹線Ｌの間における双方向の信号伝送路（通話路）、共同玄関機ＣＰＵ３０６および共通幹線Ｌの間における双方向の信号伝送路をそれぞれ形成するためのものである。
【００４４】
このように構成され本発明を実施するための最良の一形態である集合住宅インターホンシステムにおいて、以下、具体的な動作について説明する。
【００４５】
図１および図２に示す当該システムを集合住宅に設置するような出荷時において、居室親機１ａ、１ｂ、・・・毎、１つの当該居室親機に複数の部屋番号または複数の名前を１つの共通アドレスとして割り付ける初期設定を行うにあたり、当該システムの施工業者等は、管理室親機２または共同玄関機３を使用する。
【００４６】
この初期設定を、共同玄関機３を使用して行うにあたり、共同玄関機３側に配置された施工業者等は、共同玄関機操作部３００を使用して所定の初期設定起動操作を行う。例えば、予め設定されている暗証番号を、共同玄関機操作部３００を構成するテンキーボタン３００ａを使用して入力する。この操作を検出した共同玄関機ＣＰＵ３０６は、テンキーボタン３００ａを使用して入力された暗証番号が初期設定を起動させるために必要な当該番号であると判断し、「待ち受けモード」から「設定モード」に切り替える。なお、共同玄関機ＣＰＵ３０６は、共同玄関機モニタ３０１に文字メッセージや絵データ等を表示させる、および／または共同玄関機スピーカ３０３から確認音（音声メッセージ等を含む。）を出力させることにより、「設定モード」に切り替えられた旨の内容を施工業者等に報知することができる。
【００４７】
「設定モード」への切り替えの後、居室親機１ａ、１ｂ、・・・のうち、ここでは、１つの居室親機１ａに複数の部屋番号または複数の名前を割り付けるためには、共同玄関機３の共同玄関機操作部３００を使用して所定の設定操作を行う。例えば、「１０１」、「２０３」の２つの部屋番号を割り付けるためには、先ず、共同玄関機操作部３００を構成する上／下方向キーボタン３００ｂを操作し、この操作を検出した共同玄関機ＣＰＵ３０６の制御により、共同玄関機モニタ３０１の表示内容を、前述の「設定モード」に切り替えられた旨の内容から部屋番号の入力画面に切り替える。この入力画面を確認した施工業者等は、テンキーボタン３００ａを操作し、「１０１」、「２０３」の２つの部屋番号を順次入力する。なお、共同玄関機ＣＰＵ３０６は、順次入力された「１０１」、「２０３」の２つの部屋番号を共同玄関機モニタ３０１に表示させることができることから、部屋番号の入力に間違いがあった場合には確認が容易であり、施工業者等は、必要に応じて訂正を行うことができる。
【００４８】
一方、１つの居室親機１ａに複数の名前、例えば、「ＹＡＭＡＤＡ」、「ＳＡＴＯＵ」の２つの名前を割り付けるためには、先ず、共同玄関機３の共同玄関機操作部３００を構成する上／下方向キーボタン３００ｂを操作し、この操作を検出した共同玄関機ＣＰＵ３０６の制御により、共同玄関機表示部３０１の表示内容を、前述の「設定モード」に切り替えられた旨の内容から名前の入力画面に切り替える。この入力画面を確認した施工業者等は、テンキーボタン３００ａ毎に割り当てられている複数の文字、例えば、複数のアルファベットを参照し、名前の割り付けのために必要とされる当該テンキーボタンの操作回数に応じて「ＹＡＭＡＤＡ」、「ＳＡＴＯＵ」の２つの名前を順次入力する。なお、共同玄関機ＣＰＵ３０６は、順次入力された「ＹＡＭＡＤＡ」、「ＳＡＴＯＵ」の２つの名前を共同玄関機モニタ３０１に表示させることができることから、名前の入力に間違いがあった場合には確認が容易であり、施工業者等は、必要に応じて訂正を行うことができる。
【００４９】
１つの居室親機１ａに割り付けるべき２つの部屋番号「１０１」、「２０３」、または２つの名前「ＹＡＭＡＤＡ」、「ＳＡＴＯＵ」を共同玄関機３の共同玄関機操作部３００を操作して順次入力した後において、共同玄関機３側に配置された施工業者等が共同玄関機ＣＰＵ３０６に設けられている設定ボタン（図示せず）を操作すると、この操作を検出した共同玄関機ＣＰＵ３０６は、当該システム全体が「リンク設定モード」となるように制御する。また、共同玄関機ＣＰＵ３０６は、共同玄関機通話回路３０４が能動となるように制御するとともに、前述の２つの部屋番号「１０１」、「２０３」、または２つの名前「ＹＡＭＡＤＡ」、「ＳＡＴＯＵ」を共同玄関機モニタ３０１に表示させることができる。
【００５０】
「リンク設定モード」への切り替えの後、居室親機１ａ側に配置された施工業者等が居室親機ハンドセット１０１を取り上げるような応答操作を行うと、この操作を検出した居室親機ＣＰＵ１０４の制御により居室親機通話回路１０２が能動となることから、（当該居室親機側に配置された施工業者等が使用する）居室親機ハンドセット１０１（のマイクおよレシーバ）と、居室親機通話回路１０２、居室親機Ｉ／Ｆ１０５、共通幹線Ｌ、共同玄関機３の共同玄関機Ｉ／Ｆ３０７、共同玄関機通話回路３０４を経由して（当該共同玄関機側に配置された施工業者等が使用する）共同玄関機マイク３０２および共同玄関機スピーカ３０３との間の信号伝送路、すなわち、通話路が形成され、形成された通話路を経由して音声信号を送受信させることで通話が成立する。
【００５１】
また、前述の通話路が形成された通話状態において、共同玄関機３側に配置された施工業者等は、共同玄関機モニタ３０１に表示されている２つの部屋番号「１０１」、「２０３」、または２つの名前「ＹＡＭＡＤＡ」、「ＳＡＴＯＵ」を確認した後、共同玄関機操作部３００を構成する呼出ボタン３００ｃを操作する。この操作を検出した共同玄関機ＣＰＵ３０６は、２つの部屋番号「１０１」、「２０３」、または２つの名前「ＹＡＭＡＤＡ」、「ＳＡＴＯＵ」を、１つの共通アドレスとして付加させた初期設定信号を生成する。この初期設定信号は、共同玄関機ＣＰＵ３０６から共同玄関機Ｉ／Ｆ３０７、共通幹線Ｌ、（通話状態である）居室親機１ａの居室親機Ｉ／Ｆ１０５を経由して居室親機ＣＰＵ１０４へと伝送される。
【００５２】
居室親機１ａの居室親機ＣＰＵ１０４は、共同玄関機３の共同玄関機ＣＰＵ３０６からの送信信号である初期設定信号を検出すると、この初期設定信号に付加されている１つの共通アドレスを居室親機メモリ１０３に保存することができ、居室親機１ａには、２つの部屋番号「１０１」、「２０３」、または２つの名前「ＹＡＭＡＤＡ」、「ＳＡＴＯＵ」が割り付けられることになる。
【００５３】
自居室親機に割り付けられる１つの共通アドレスとして、前述の２つの部屋番号「１０１」、「２０３」、または２つの名前「ＹＡＭＡＤＡ」、「ＳＡＴＯＵ」が居室親機１ａの居室親機メモリ１０３に（正常に）保存された後、居室親機１ａ側に配置された施工業者等が居室親機ハンドセット１０１を元の位置に戻すような終話操作を行うと、この操作を検出した居室親機ＣＰＵ１０４および共同玄関機ＣＰＵ３０６の制御により前述の通話路は遮断される。なお、共同玄関機ＣＰＵ３０６は、共同玄関機モニタ３０１に文字メッセージや絵データ等を表示させる、および／または共同玄関機スピーカ３０３から確認音（音声メッセージ等を含む。）を出力させることにより、居室親機１ａに割り付けるべき１つの共通アドレスが居室親機メモリ１０３に（正常に）保存された旨の内容を施工業者等に報知することができる。
【００５４】
また、前述の終話操作を検出した居室親機１ａの居室親機ＣＰＵ１０４は、居室親機メモリ１０３から１つの共通アドレスを読み出し、読み出された１つの共通アドレスを付加させた初期設定転送信号を生成する。この初期設定転送信号は、居室親機ＣＰＵ１０４から居室親機Ｉ／Ｆ１０５、共通幹線Ｌ、管理室親機２の管理室親機Ｉ／Ｆ２０７を経由して管理室親機ＣＰＵ２０６へと伝送される、および／または居室親機ＣＰＵ１０４から居室親機Ｉ／Ｆ１０５、共通幹線Ｌ、共同玄関機３の共同玄関機Ｉ／Ｆ３０７を経由して共同玄関機ＣＰＵ３０６へと伝送される。
【００５５】
管理室親機２の管理室親機ＣＰＵ２０６および／または共同玄関機３の共同玄関機ＣＰＵ３０６のうち、管理室親機ＣＰＵ２０６は、居室親機１ａの居室親機ＣＰＵ１０４からの送信信号である初期設定転送信号に付加されている１つの共通アドレス、すなわち、２つの部屋番号「１０１」、「２０３」、または２つの名前「ＹＡＭＡＤＡ」、「ＳＡＴＯＵ」を、居室親機１ａに割り付けて管理室親機メモリ２０３に保存することができる。
【００５６】
一方、共同玄関機３の共同玄関機ＣＰＵ３０６は、居室親機１ａの居室親機ＣＰＵ１０４からの送信信号である初期設定転送信号に付加されている１つの共通アドレス、すなわち、２つの部屋番号「１０１」、「２０３」、または２つの名前「ＹＡＭＡＤＡ」、「ＳＡＴＯＵ」を、居室親機１ａに割り付けて共同玄関機メモリ３０５に保存することができる。
【００５７】
なお、前述までの「（初期設定の）起動」、「設定モード」、「リンク設定モード」における各動作と同様な操作を、共同玄関機３を使用して繰り返し行うとともに、初期設定の対象である居室親機１ａを除く他の居室親機１ｂ、・・・において居室親機ハンドセット１０１を取り上げるような応答操作を行うと、１つの居室親機１ｂ、・・・に１つの共通アドレスとして割り付けられる複数の部屋番号または複数の名前を、居室親機メモリ３０５にそれぞれ保存することができる。この１つの共通アドレスは、管理室親機２の管理室親機メモリ２０５および／または共同玄関機３の共同玄関機メモリ３０５に保存（転送保存）することができる。
【００５８】
また、前述までの説明では、当該システムを集合住宅に設置する出荷時において、居室親機１ａ、１ｂ、・・・毎、１つの当該居室親機に複数の部屋番号または複数の名前を１つの共通アドレスとして割り付ける初期設定を行うにあたり使用する機器として、共同玄関機３を使用する場合について説明したが、これに限定されず、管理室親機２を使用することができる。
【００５９】
管理室親機２側に配置された施工業者等が管理室親機操作部２０３を構成するテンキーボタン２０３ａ、上／下方向キーボタン２０３ｂ、呼出ボタン２０３ｃを使用して、「（初期設定の）起動」、「設定モード」、「リンク設定モード」における各動作と同様な操作を繰り返し行うとともに、初期設定の対象である居室親機１ａ、１ｂ、・・・において居室親機ハンドセット１０１を取り上げるような応答操作を行うことにより、１つの居室親機１ａ、１ｂ、・・・に１つの共通アドレスとして割り付けられる複数の部屋番号または複数の名前を、管理室親機メモリ２０５に保存することができる。この１つの共通アドレスは、当該居室親機の居室親機メモリ１０３および／または共同玄関機３の共同玄関機メモリ３０５に保存（転送保存）することができる。
【００６０】
さらに、前述までの説明では、当該システムを集合住宅に設置する出荷時において初期設定を行う場合の動作について説明したが、例えば、初期設定時において予め割り付けられた１つの共通アドレスを変更して複数の部屋番号または複数の名前を書き換えることができる。
【００６１】
具体的には、初期設定における操作と同様、当該システムの施工業者等が管理室親機２の管理室親機操作部２０３（２０３ａ、２０３ｂ、２０３ｃ）または共同玄関機３の共同玄関機操作部３００（３００ａ、３００ｂ、３００ｃ）を操作することにより、１つの共通アドレスを変更すべき当該居室親機の居室親機メモリ１０３に保存されている複数の部屋番号または複数の名前を書き換えることができる。書き換えられた複数の部屋番号または複数の名前は、管理室親機２の管理室親機メモリ２０５および／または共同玄関機３の共同玄関機メモリ３０５に保存（転送保存）することができる。
【００６２】
次に、前述のような初期設定または書き換えが行われた後において、共同玄関に居る来訪者が特定の居住者を呼び出して通話を成立させるための動作について説明する。ここでは、居室親機１ａが設置された居室内に在室中の居住者を来訪者が呼び出して通話を成立させる動作（以下、第１の呼出／通話動作という。）について説明する。
【００６３】
第１の呼出／通話動作を行うにあたり、来訪者は、先ず、共同玄関機３の共同玄関機操作部３００を使用して所定の呼出起動操作を行う。例えば、共同玄関機操作部３００を構成するテンキーボタン３００ａのうち何れかの当該ボタンを操作する。この操作を検出した共同玄関機ＣＰＵ３０６は、共同玄関機メモリ３０６に保存されている複数の部屋番号または複数の名前を全て読み出して共同玄関機モニタ３０１に表示、例えば、スクロール表示させることができる。この表示を確認した来訪者は、呼出先を選択するにあたり、居室親機１ａに１つの共通アドレスとして割り付けられている２つの部屋番号「１０１」、「２０３」、または２つの名前「ＹＡＭＡＤＡ」、「ＳＡＴＯＵ」のうち、予め知り得ている何れか１の当該部屋番号または名前を上／下方向キーボタン３００ｂを操作して選択する。ここでは、上／下方向キーボタン３００ｂの操作により部屋番号「１０１」が選択されると、この操作を検出した共同玄関機ＣＰＵ３０６は、共同玄関機モニタ３０１の表示内容を、前述の「スクロール表示」から部屋番号「１０１」の選択済み表示に切り替える。
【００６４】
また、共同玄関機３の共同玄関機モニタ３０１に選択済み表示された内容、すなわち、部屋番号「１０１」を確認した後、来訪者が共同玄関機操作部３００を構成する呼出ボタン３００ｃを操作すると、この操作を検出した共同玄関機ＣＰＵ３０６は、部屋番号「１０１」を付加させた呼出信号（以下、第１の呼出信号という。）を生成する。この第１の呼出信号は、共同玄関機ＣＰＵ３０６から共同玄関機Ｉ／Ｆ３０７、共通幹線Ｌ、（全ての）居室親機１ａ、１ｂ、・・・の居室親機Ｉ／Ｆ１０５を経由して居室親機ＣＰＵ１０４へとそれぞれ伝送されるとともに、共同玄関機ＣＰＵ３０６から共同玄関機Ｉ／Ｆ３０７、共通幹線Ｌ、管理室親機２の管理室親機Ｉ／Ｆ２０７を経由して管理室親機ＣＰＵ２０６へと伝送される。
【００６５】
（全ての）居室親機１ａ、１ｂ、・・・の居室親機ＣＰＵ１０４および管理室親機２の管理室親機ＣＰＵ２０６のうち、先ず、居室親機ＣＰＵ１０４はそれぞれ、共同玄関機３の共同玄関機ＣＰＵ３０６からの送信信号である第１の呼出信号に付加されている部屋番号「１０１」と、居室親機メモリ１０３に１つの共通アドレスとして割り付けられて保存されている複数の部屋番号または複数の名前とを照合し、一致した場合にのみ所定の呼出報知を行う。ここでは、居室親機１ａの居室親機ＣＰＵ１０４のみ部屋番号が「１０１」で一致する。この居室親機ＣＰＵ１０４は、自居室親機に割り付けられた２つの部屋番号「１０１」、「２０３」、または２つの名前「ＹＡＭＡＤＡ」、「ＳＡＴＯＵ」毎に予め割り当てられている所定のパターンの（複数の）呼出音のうち、部屋番号「１０１」に予め割り当てられた呼出音を居室親機スピーカ１００から出力させることができる。
【００６６】
一方、管理室親機２の管理室親機ＣＰＵ２０６は、共同玄関機３の共同玄関機ＣＰＵ３０６からの送信信号である第１の呼出信号に付加されている部屋番号「１０１」を参照して、来訪者からの呼び出しが管理室内に在室中の管理人への呼び出しでないと判断し、呼出報知のような動作は何ら行わない。
【００６７】
居室親機１ａの居室親機スピーカ１００からの呼出音の出力を確認した呼出先の居住者が居室親機ハンドセット１０１を取り上げるような応答操作を行うと、この操作を検出した居室親機ＣＰＵ１０４により、居室親機通話回路１０２が能動となるように制御されるとともに、応答信号（以下、第１の応答信号という。）が生成される。この第１の応答信号は、前述の第１の呼出信号と逆の信号伝送路を経由して共同玄関機３の共同玄関機ＣＰＵ３０６へと伝送される。
【００６８】
共同玄関機３の共同玄関機ＣＰＵ３０６は、居室親機１ａの居室親機ＣＰＵ１０４からの送信信号である第１の応答信号を検出すると、共同玄関機通話回路３０４が能動となるように制御することにより、呼出元の来訪者が使用する共同玄関機マイク３０２および共同玄関機スピーカ３０３と、共同玄関機通話回路３０４、共同玄関機Ｉ／Ｆ３０７、共通幹線Ｌ、居室親機１ａの居室親機Ｉ／Ｆ１０５、居室親機通話回路１０２を経由して呼出先の居住者が使用する居室親機ハンドセット１０１（のマイクおよびレシーバ）との間の信号伝送路、すなわち、通話路が形成され、形成された通話路を経由して音声信号を送受信させることで通話が成立する。
【００６９】
前述までの説明から明らかなように、第１の呼出／通話動作を行うにあたっては、居室親機１ａが設置された居室内に在室中の居住者を来訪者が呼び出すとき、共同玄関機３の共同玄関機操作部３００を使用して部屋番号「１０１」を選択したが、この部屋番号「１０１」に限定されるものではない。例えば、居室親機１ａに１つの共通アドレスとして割り付けられている（部屋番号「１０１」を除く他の当該部屋番号である）部屋番号「２０３」、または２つの名前「ＹＡＭＡＤＡ」、「ＳＡＴＯＵ」のうち何れか１を選択することにより、呼出先である居室親機１ａの居室親機スピーカ１００では、選択された部屋番号「２０３」、または２つの名前「ＹＡＭＡＤＡ」、「ＳＡＴＯＵ」毎で異なるパターンの呼出音が出力されることから、呼出音の相違を確認した居住者にとっては、来訪者の呼び出しに使用された部屋番号または名前の識別が容易となる。
【００７０】
次に、前述までの第１の呼出／通話動作によれば、初期設定または書き換えが行われた後において、共同玄関に居る来訪者が特定の居住者、すなわち、居室親機１ａが設置された居室内に在室中の居住者を呼び出して通話を成立させるための動作について説明したが、その呼出元としては来訪者に限定されるものではなく、管理室内に在室中の管理人を適用することができる。ここでは、居室親機１ａが設置された居室内に在室中の居住者を管理人が呼び出して通話を成立させる動作（以下、第２の呼出／通話動作という。）について説明する。
【００７１】
第２の呼出／通話動作を行うにあたり、管理人は、先ず、管理室親機２の管理室親機操作部２０３を使用して所定の呼出起動操作を行う。例えば、管理室親機機操作部２０３を構成するテンキーボタン２０３ａのうち何れかの当該ボタンを操作する。この操作を検出した管理室親機ＣＰＵ２０６は、管理室親機メモリ２０５に保存されている複数の部屋番号または複数の名前を全て読み出して管理室親機モニタ２０４に表示、例えば、スクロール表示させることができる。この表示を確認した管理人は、呼出先を選択するにあたり、居室親機１ａに１つの共通アドレスとして割り付けられている２つの部屋番号「１０１」、「２０３」、または２つの名前「ＹＡＭＡＤＡ」、「ＳＡＴＯＵ」のうち、予め知り得ている何れか１の当該部屋番号または名前を上／下方向キーボタン２０３ｂを操作して選択する。ここでは、上／下方向キーボタン２０３ｂの操作により名前「ＹＡＭＡＤＡ」が選択されると、この操作を検出した管理室親機ＣＰＵ２０６は、管理室親機モニタ２０４の表示内容を、前述の「スクロール表示」から名前「ＹＡＭＡＤＡ」の選択済み表示に切り替える。
【００７２】
また、管理室親機２の管理室親機モニタ２０４に選択済み表示された内容、すなわち、名前「ＹＡＭＡＤＡ」を確認した後、管理人が管理室親機操作部２０３を構成する呼出ボタン２０３ｃを操作すると、この操作を検出した管理室親機ＣＰＵ２０６は、名前「ＹＡＭＡＤＡ」を付加させた呼出信号（以下、第２の呼出信号という。）を生成する。この第２の呼出信号は、管理室親機ＣＰＵ２０６から管理室親機Ｉ／Ｆ２０７、共通幹線Ｌ、（全ての）居室親機１ａ、１ｂ、・・・の居室親機Ｉ／Ｆ１０５を経由して居室親機ＣＰＵ１０４へとそれぞれ伝送されるとともに、管理室親機ＣＰＵ２０６から管理室親機Ｉ／Ｆ２０７、共通幹線Ｌ、共同玄関機３の共同玄関機Ｉ／Ｆ３０７を経由して共同玄関機ＣＰＵ３０６へと伝送される。
【００７３】
（全ての）居室親機１ａ、１ｂ、・・・の居室親機ＣＰＵ１０４および共同玄関機３の共同ＣＰＵ２０６のうち、先ず、居室親機ＣＰＵ１０４はそれぞれ、管理室親機２の管理室親機ＣＰＵ２０６からの送信信号である第２の呼出信号に付加されている名前「ＹＡＭＡＤＡ」と、居室親機メモリ１０３に１つの共通アドレスとして割り付けられて保存されている複数の部屋番号または複数の名前とを照合し、一致した場合にのみ所定の呼出報知を行う。ここでは、居室親機１ａの居室親機ＣＰＵ１０４のみ名前が「ＹＡＭＡＤＡ」で一致する。この居室親機ＣＰＵ１０４は、自居室親機に割り付けられた２つの部屋番号「１０１」、「２０３」、または２つの名前「ＹＡＭＡＤＡ」、「ＳＡＴＯＵ」毎に予め割り当てられている所定のパターンの（複数の）呼出音のうち、名前「ＹＡＭＡＤＡ」に予め割り当てられた呼出音を居室親機スピーカ１００から出力させることができる。
【００７４】
一方、共同玄関機３の共同玄関機ＣＰＵ３０６は、管理室親機２の管理室親機ＣＰＵ２０６からの送信信号である第２の呼出信号を無効であると判断し、呼出報知のような動作は何ら行わない。
【００７５】
居室親機１ａの居室親機スピーカ１００からの呼出音の出力を確認した呼出先の居住者が居室親機ハンドセット１０１を取り上げるような応答操作を行うと、この操作を検出した居室親機ＣＰＵ１０４により、居室親機通話回路１０２が能動となるように制御されるとともに、応答信号（以下、第２の応答信号という。）が生成される。この第２の応答信号は、前述の第２の呼出信号と逆の信号伝送路を経由して管理室親機２の管理室親機ＣＰＵ２０６へと伝送される。
【００７６】
管理室親機２の管理室親機ＣＰＵ２０６は、居室親機１ａの居室親機ＣＰＵ１０４からの送信信号である第２の応答信号を検出すると、管理室親機通話回路２０２が能動となるように制御することにより、呼出元の管理人が使用する管理室親機ハンドセット２０１（のマイクおよびレシーバ）と、管理室親機通話回路２０２、管理室親機Ｉ／Ｆ２０７、共通幹線Ｌ、居室親機１ａの居室親機Ｉ／Ｆ１０５、居室親機通話回路１０２を経由して呼出先の居住者が使用する居室親機ハンドセット１０１（のマイクおよびレシーバ）との間の信号伝送路、すなわち、通話路が形成され、形成された通話路を経由して音声信号を送受信させることで通話が成立する。
【００７７】
前述までの説明から明らかなように、第２の呼出／通話動作を行うにあたっては、居室親機１ａが設置された居室内に在室中の居住者を管理人が呼び出すにあたり、管理室親機２の管理室親機操作部２０３を使用して名前「ＹＡＭＡＤＡ」を選択したが、この名前「ＹＡＭＡＤＡ」に限定されるものではない。例えば、居室親機１ａに１つの共通アドレスとして割り付けられている２つの部屋番号「１０１」、「２０３」、または（名前「ＹＡＭＡＤＡ」を除く他の当該名前である）名前「ＳＡＴＯＵ」のうち何れか１を選択することにより、呼出先である居室親機１ａの居室親機スピーカ１００では、選択された２つの部屋番号「１０１」、「２０３」、または名前「ＳＡＴＯＵ」毎で異なるパターンの呼出音が出力されることから、呼出音の相違を確認した居住者にとっては、管理人の呼び出しに使用された部屋番号または名前の識別が容易となる。
【００７８】
なお、本発明の集合住宅インターホンシステムにおいては、集合住宅の管理室および共同玄関がそれぞれ１箇所であり管理室親機および共同玄関機を１台（管理室親機２、共同玄関機３）ずつ設けた場合について適用したが、当該管理室親機および共同玄関機の台数は１台に限定されるものではない。例えば、複数の管理室および／または複数の共同玄関がある場合には、管理室親機および／または共同玄関機を複数台（管理室親機２ａ、２ｂ、・・・、共同玄関機３ａ、３ｂ、・・・、図示せず）設けることができる。
【００７９】
また、本発明の集合住宅インターホンシステムにおいては、共通幹線Ｌにそれぞれ接続される機器として、居室親機１ａ、１ｂ、・・・、管理室親機２、共同玄関機３を適用したが、この構成に限定されるものではない。例えば、共通幹線Ｌに居室親機１ａ、１ｂ、・・・および共同玄関機３のみがそれぞれ接続されている当該システム、共通幹線Ｌに管理室親機２および共同玄関機３のみがそれぞれ接続されている当該システムも好適とされ、同様な効果を奏するばかりでなく、この共通幹線Ｌには、当該システム全体を制御する制御装置（図示せず）を接続することも可能であり、この制御装置にメモリ（不揮発性メモリ）を備えることで、居室親機１ａ、１ｂ、・・・毎、１つの当該居室親機に割り付けられた複数の部屋番号または複数の名前の１つの共通アドレスを保存することができる。
【００８０】
また、本発明の集合住宅インターホンシステムにおいては、居室親機１ａ、１ｂ、・・・毎、１つの当該居室親機に割り付けるべき複数の名前を設定するにあたり、管理室親機２の管理室親機操作部２０３を構成するテンキーボタン２０３ａ、共同玄関機３の共同玄関機操作部３００を構成するテンキーボタン２０３ａにおける操作として、テンキーボタン２０３ａ、３００ａ毎に割り当てられている複数のアルファベットを参照したが、この文字に限定されるものでない。例えば、テンキーボタン２０３ａ、３００ａ毎に複数の平仮名または片仮名を割り当てる、或いは、アルファベット、平仮名、または片仮名を併用し、名前の割り付けのために必要とされる当該テンキーボタンの操作回数に応じて複数の名前を設定することができる。
【００８１】
さらに、本発明のインターホンシステムにおいては、図１、図２にそれぞれ示した特定の実施の形態をもって説明してきたが、この形態に限定されるものでなく、本発明の効果を奏する限り、これまで知られた如何なる構成であっても採用できるということはいうまでもないことである。
【図面の簡単な説明】
【００８２】
【図１】本発明を実施するための最良の一形態である集合住宅インターホンシステムの全体構成（外観構成）を示すシステム説明図。
【図２】本発明を実施するための最良の一形態である集合住宅インターホンシステムの具体的な構成を示すブロック図。
【符号の説明】
【００８３】
１ａ、１ｂ、・・・ ……居室親機
１０３……居室親機メモリ
１０４……居室親機ＣＰＵ
２……管理室親機
２０５……管理室親機メモリ
２０６……管理室親機ＣＰＵ
３……共同玄関機
３０５……共同玄関機メモリ
３０６……共同玄関機ＣＰＵ
Ｌ……共通幹線
【図１】
0004739862.tif 000002
【図２】
0004739862.tif 000003